(57)【特許請求の範囲】
【請求項１】
開口部を有する容器本体と、容器本体の開口部を封鎖する封鎖体とが、両者の境界に形成される破断容易な弱化部を介して一体的に形成され、キャップを冠着するための螺合手段又は係合手段が容器本体に形成された、ポリエステル樹脂からなる破断開口容易な容器に対して、封鎖体や弱化部を非接触状態で覆うようなキャップが、それらを覆った状態で容器本体の螺合手段又は係合手段と螺合又は係合するように、容器本体に着脱自在に冠着されていると共に、キャップの天板部から下方に延びる筒状のスカート部には、その下端部付近に、封鎖体や弱化部を覆った状態で容器本体と螺合又は係合する螺合手段又は係合手段が形成され、その上方に、スカート部を上下に分割するための破断可能な分割部が形成され、その上方に、封鎖体が除去された後の容器本体の開口部を封鎖する状態で容器本体と螺合又は係合する再封鎖用の螺合手段又は係合手段が形成されていることを特徴とするキャップを備えた破断開口容易な容器。
【発明の詳細な説明】
【技術分野】
【０００１】
本発明は、開口部を有する容器本体と、容器本体の開口部を封鎖する封鎖体とが、両者の境界に形成される破断容易な弱化部を介して一体的に形成された、所謂ツイストオフ容器と呼ばれる破断開口容易な容器に関し、特に、少なくともキャップを除いた容器の材質がポリエステル樹脂からなるもので、その弱化部をできるだけ弱化させて開封し易くしても、開封前に誤って弱化部が破断されることがなく、しかも、開封後には、封鎖体が除去された後の容器本体の開口部をキャップにより確実に再封鎖できるような破断開口容易な樹脂製の容器に関する。
【背景技術】
【０００２】
開口部を有する容器本体と、容器本体の開口部を封鎖する封鎖体とが、両者の境界に形成される破断容易な弱化部を介して一体的に形成されていて、摘み部分となる封鎖体を摘んで捻ることで弱化部を破断して、容器本体から封鎖体を折り取ることで、容器本体の開口部を開口させる、所謂ツイストオフ容器と言われる樹脂製の容器が従来から知られている。なお、そのような破断開口容易な容器において、開口された容器本体の開口部を再封鎖するための栓部を、封鎖体の部分に一体的に形成しておく、ということも本出願人の出願に係る下記の特許文献１により従来公知となっている。
【特許文献１】実用新案登録第２５５４９２４号公報
【発明の開示】
【発明が解決しようとする課題】
【０００３】
ところで、上記のような従来公知の破断開口容易な容器では、容器本体から封鎖体を折り取り易く（弱化部が破断され易く）するため、一般的に、容器全体がオレフィン樹脂で形成されているが、これに対して、近年、オレフィン樹脂よりも耐内容物性に優れて、内容物に対して不活性で樹脂臭のない（内容物に樹脂の臭いが移らない）ポリエステル樹脂からなる破断開口容易な容器の出現が望まれている。
【０００４】
しかしながら、ポリエステル樹脂では、オレフィン樹脂よりも耐内容物性に優れているものの、オレフィン樹脂よりも粘りがあって、上記のような破断開口容易な容器に使用した場合には、容器本体から封鎖体を折り取る際に、弱化部が破断され難く、封鎖体が折られた弱化部の破断部分で糸を引くような現象を引き起こすことがある。
【０００５】
そこで、そのようなポリエステル樹脂からなる破断開口容易な容器の欠点を克服するために、弱化部を適宜手段で一層薄くしたり、弱化部付近の材質を脆く変性させたりしているが、そのように弱化部を破断させ易くし過ぎると、容器の展示中や搬送中に封鎖体が不用意に動かされた場合に、簡単に弱化部が破断されて容器が誤って開封されてしまう虞がある。
【０００６】
本発明は、上記のような問題の解消を課題とするものであり、具体的には、ポリエステル樹脂からなる破断開口容易な容器について、弱化部をできるだけ弱化させて開封し易くしても、開封前に誤って弱化部が破断されることがなく、しかも、開封後の容器本体の開口部を確実に再封鎖できるようにすることを課題とするものである。
【課題を解決するための手段】
【０００７】
本発明は、上記のような課題を解決するために、開口部を有する容器本体と、容器本体の開口部を封鎖する封鎖体とが、両者の境界に形成される破断容易な弱化部を介して一体的に形成され、キャップを冠着するための螺合手段（又は係合手段）が容器本体に形成された、ポリエステル樹脂からなる破断開口容易な容器に対して、封鎖体や弱化部を非接触状態で覆うようなキャップが、それらを覆った状態で容器本体の螺合手段（又は係合手段）と螺合（又は係合）するように、容器本体に着脱自在に冠着されていると共に、キャップの天板部から下方に延びる筒状のスカート部には、その下端部付近に、封鎖体や弱化部を覆った状態で容器本体と螺合（又は係合）する螺合手段（又は係合手段）が形成され、その上方に、スカート部を上下に分割するための破断可能な分割部が形成され、その上方に、封鎖体が除去された後の容器本体の開口部を封鎖する状態で容器本体と螺合（又は係合）する再封鎖用の螺合手段（又は係合手段）が形成されていることを特徴とするものである。
【発明の効果】
【０００８】
上記のような本発明のキャップを備えた破断開口容易な容器によれば、ポリエステル樹脂からなる容器の弱化部をできるだけ弱化させて、容器を開封し易くしても、容器を開封する前には、封鎖体や弱化部がキャップで覆われて保護されていることにより、不用意に封鎖体が動かされて弱化部が破断されるようなことはなく、容器が誤って開封されるのをキャップによって確実に防止することができる。
【０００９】
また、弱化部を破断し封鎖体を除去して容器を開封した後では、キャップを分割部で破断して上下に分割してから、その上側の部分をキャップとして容器本体に被せ、当該部分に形成された再封鎖用の螺合手段（又は係合手段）と容器本体の螺合手段（又は係合手段）とを螺合（又は係合）させることで、キャップ（元のキャップの上部）を容器本体に冠着して開口部を再封鎖することにより、容器本体の胴部に圧力が加わったとしても、キャップによる開口部の封鎖を確実に維持することができて、容器を確実に再封鎖することができる。
【発明を実施するための最良の形態】
【００１０】
ポリエステル樹脂からなる破断開口容易な容器について、弱化部をできるだけ弱化させて開封し易くしても、開封前に誤って弱化部が破断されることがなく、しかも、開封後の容器本体の開口部を確実に再封鎖できるようにするという目的を、最良の形態として以下の実施例に具体的に示すように、開口部を有する容器本体と、容器本体の開口部を封鎖する封鎖体とが、両者の境界に形成される破断容易な弱化部を介して一体的に形成され、キャップを冠着するための螺合手段（又は係合手段）が容器本体に形成された、ポリエステル樹脂からなる破断開口容易な容器に対して、封鎖体や弱化部を非接触状態で覆うようなキャップを、それらを覆った状態で容器本体の螺合手段（又は係合手段）と螺合（又は係合）するように、容器本体に着脱自在に冠着すると共に、キャップの天板部から下方に延びる筒状のスカート部には、その下端部付近に、封鎖体や弱化部を覆った状態で容器本体と螺合（又は係合）する螺合手段（又は係合手段）を形成し、その上方に、スカート部を上下に分割するための破断可能な分割部を形成し、その上方に、封鎖体が除去された後の容器本体の開口部を封鎖する状態で容器本体と螺合（又は係合）する再封鎖用の螺合手段（又は係合手段）を形成するということで実現した。
【００１１】
なお、本発明のキャップを備えた破断開口容易な容器において、キャップを除いた容器（容器本体と封鎖体と弱化部とが一体成形された容器）の部分は、ポリエステル樹脂を素材として、射出成形法、圧空（真空）成形法、ブロー成形法のような従来から知られた適宜の成形方法により一体成形されるものであり、一方、キャップの部分は、オレフィン樹脂やポリエステル樹脂等の適宜の樹脂を素材として、射出成形法のような従来から知られた適宜の成形方法により一体成形されるものである。
そのような本発明のキャップを備えた破断開口容易な容器の一実施例について以下に説明する。
【実施例】
【００１２】
本実施例のキャップを備えた破断開口容易な容器で、キャップを除く容器の部分については、ポリエステル樹脂を素材としてダイレクトブロー成形法により一体成形されており、押出機から押し出された円筒形のパリソンを、二つ割りの金型に挟んで圧縮空気でブローし、パリソンの下部に円筒状の胴部を成形してから、胴部の内部に内容物を充填した後で、別の二つ割りの金型に挟んでパリソンの上部を成形することにより、内容物を収納する容器本体と、容器本体を封鎖する封鎖体とが一体的に形成されて、容器本体と封鎖体との境界には、破断容易な弱化部が形成される。
【００１３】
なお、破断開口容易な容器の素材となるポリエステル樹脂について、本実施例では、具体的には、酸成分がテレフタル酸であり、グリコール成分として、エチレングリコール９６モル％に対し、１，４−シクロヘキサンジメタノール又はビスフェノールＡを４モル％添加したようなポリエステル樹脂が使用されている。
【００１４】
そのようなポリエステル樹脂は、極限粘度が約１．０dl/gであって、ダイレクトブロー成形法により成形する際にドローダウンすることがなく、融点が約２３５〜２４５℃であって、一般的なポリエステル樹脂よりも融点が１０〜３０℃も低く、低温で成形できるので、急速な冷却が可能であり、さらに、結晶化速度が遅いので、成形性が良好である。
【００１５】
そのようなポリエステル樹脂から一体成形される本実施例の破断開口容易な容器の構造について、具体的には、図１および図２に示すように、容器本体２では、円形の底部２１から上方に、ブロー成形により外方へ膨らんだ円筒形の胴部２２が形成され、胴部２２の上端から滑らかな曲面の肩部２３を介して、胴部２２より小径で略パリソンの直径と同径の頸部２４が形成され、頸部２４の外面に雄ネジ部２５が形成され、頸部２４の上端から内方に環状の天板部２６が形成され、天板部２６の中央から上方に突出するように円錐台状の口部２７が形成されていて、この口部２７の上端に、封鎖体３との境界として、破断容易な弱化部４が上方から見て円形に形成されている。
【００１６】
封鎖体３では、容器本体２の口部２７を封鎖するための中空の釣鐘形部３１と、容器を開封する際の摘み部分となる平板部３２とが、平板部３２が釣鐘形部３１を跨ぐように、一体的に形成されている。そして、釣鐘形部３１の下端は、平板部３２の下端よりも下方に位置しており、弱化部４を介して容器本体２の口部２７と一体的に連結されている。
【００１７】
そのように容器本体２と封鎖体３とが弱化部４を介して一体的に連結された本実施例の破断開口容易な容器では、封鎖体３の平板部３２を指先で摘んで捻ることにより弱化部４が破断され、それにより容器本体２から分離した封鎖体３を除去することで、封鎖体３の釣鐘形部３１により閉鎖された容器本体２の口部２７が開口されることとなる。
【００１８】
上記のような構造を備えた本実施例の容器の具体的な製造方法について説明すると、ポリエステル樹脂を押出機から直径約２５ｍｍ、厚さ約０．８ｍｍの円筒形のパリソンにして押し出してから、このパリソンを二つ割りの金型で挟んでダイレクトブロー成形することにより、先ず、パリソンの下部を、円形の底部２１と、パリソンを膨らませた直径を有する胴部２２と、胴部２２から上方に縮径する曲面の肩部２３と、雄ネジ部２５を表面に突出させた頸部２４とに成形する。
【００１９】
次いで、そのように底部２１から頸部２４まで成形された半成形体のパリソンに対して、充填パイプから内容物を胴部２２の内部に充填した後で、パリソンの上部を別の二つ割りの金型で挟んで成形することにより、容器本体２の天板部２６と口部２７を成形し、また、封鎖体３の釣鐘形部３１と平板部３２を成形して、内容物入りの容器を密封する。
【００２０】
なお、本実施例では、容器の殺菌工程を省略するために、パリソンの押出し工程から最後の密封工程までを、無菌雰囲気下で実施している。また、本実施例では、二つ割りの金型で挟んで封鎖体３を成形した直後に、この金型の先端を容器本体２に向けて食い込ませて、容器本体２の口部２７の上端を局所的に伸ばすことにより、板厚を薄くさせた弱化部４を口部２７の上端に形成している。
【００２１】
容器本体２と封鎖体３との間に形成される弱化部４は、その部分が部分的に薄肉化されたものであるが、その成形方法については、上記のような成形加工中に金型の先端を食い込ませるような方法に限らず、レーザー照射によって薄肉にする方法や、刃物による切削加工を施すことで薄肉にする方法などの適宜の方法が適用できる。
【００２２】
一方、上記のような容器の容器本体２に冠着されるキャップ５について、本実施例では、オレフィン樹脂を金型の間の隙間に射出する射出成形法により成形されていて、図３に示すように、キャップ５の天板部５１から下方に延びる筒状のスカート部５２には、その下端部付近の内面側に、容器本体２の雄ネジ部２５と螺合する雌ネジ部５３が形成され、その上方に、スカート部５２を上下に分割するための破断可能な分割部５４が形成され、その上方の内面側に、容器本体２の雄ネジ部２５と螺合する再封鎖用の雌ネジ部５５が形成されている。また、キャップ５の天板部５１の下面側には、密封用の環状リブ５６が一体的に形成されており、この環状リブ５６によって、図４に示すように、開封後の容器本体２の口部２７の上端付近を外側から覆って密封することとなる。
【００２３】
キャップ５のスカート部５２の下端部付近に形成される雌ネジ部５３については、図１または図２に示すように、封鎖体３や弱化部４をキャップ５が覆った状態で、容器本体２の雄ネジ部２５と螺合されるものであって、開封前の容器では、この雌ネジ部５３を容器本体２の雄ネジ部２５に螺合させることによって、天板部５１とスカート部５２で囲まれたキャップ５の内側の空間で、封鎖体３や弱化部４が非接触状態で完全に覆われるように、容器本体２に対してキャップ５が冠着されることとなる。
【００２４】
キャップ５のスカート部５２に形成される破断可能な分割部５４については、複数の薄肉ブリッジ部分とスリット部分とからなるもので、スカート部５２の上下方向（軸方向）で中央部よりも僅かに天板部５１の側に寄った位置でスカート部５２の周方向に沿って形成されていて、筒状のスカート部５２を手で捩ることにより、薄肉ブリッジ部分を容易に破断することができて、それにより、分割部５４を境としてスカート部５２を上下に分割することができる。
【００２５】
キャップ５のスカート部５２で分割部５４の上方に形成される再封鎖用の雌ネジ部５５については、図４に示すように、分割部５４で上下に分割されたキャップ５の上側の部分を、開封後（封鎖体３が除去された後）の容器本体２に被せて、容器本体２の開口部を再封鎖した状態で、容器本体２の雄ネジ部２５と螺合されるものであって、開封後の容器では、この雌ネジ部５５を容器本体２の雄ネジ部２５に螺合させることにより、キャップ５により容器本体２の開口部を再封鎖するように、容器本体２に対してキャップ５が冠着されることとなる。
【００２６】
すなわち、本実施例では、キャップ５の天板部５１の下面側に密封用の環状リブ５６が一体的に形成されていて、容器本体２の開口部を再封鎖する際には、再封鎖用の雌ネジ部５５と容器本体２の雄ネジ部２５とを螺合させて、キャップ５の分割部５４から上の部分を容器本体２に冠着することにより、キャップ５の天板部５１の下面側に形成された環状リブ５６が、容器本体２の口部２７の上端付近を外側から覆うようにしている。
【００２７】
上記のようなキャップ５を備えた本実施例の破断開口容易な容器によれば、キャップ５のスカート部５２の下端部付近に形成された雌ネジ部５３による螺合により容器本体２にキャップ５を冠着することで、開封前の容器において、展示中や搬送中に容器がどのように取り扱われても、キャップ５が取り外されない以上、封鎖体３が誤って動かされるようなことはなく、ポリエステル樹脂からなる容器を開封し易くするために弱化部４をできるだけ弱化させたとしても、不用意に封鎖体３が動かされて弱化部４が破断されるようなことはなく、容器が誤って開封されるような虞は全くない。
【００２８】
また、弱化部４を破断し封鎖体３を除去して容器を開封した後では、分割部５４の破断によりキャップ５を上下に分割してから、その上側の部分をキャップ５として、当該部分に形成された再封鎖用の雌ネジ部５５による螺合により容器本体２にキャップ５を冠着することで、キャップ５の天板部５１の下面側に形成された環状リブ５６により容器本体２の口部２７の上端付近を外側から覆うような状態として、キャップ５により容器本体２の開口部を再封鎖することができる。
【００２９】
そして、そのように雌ネジ部５５での螺合によりキャップ５（分割部５４から上方の部分）を容器本体２に冠着することで容器を再封鎖していることによって、容器本体２の胴部２２に圧力が加わったとしても、キャップ５の環状リブ５６による容器本体２の口部２７（口部の上端開口部）の封鎖状態を確実に維持することができて、容器を確実に再封鎖することができる。
【００３０】
以上、本発明のキャップを備えた破断開口容易な容器の一実施例について説明したが、本発明は、上記のような実施例にのみ限定されるものではなく、例えば、弱化部を介して容器本体の開口部を封鎖する封鎖体については、実施例に示した中空の釣鐘形部を備えたような具体的な形状に限らず、中空の球状部（球殻部）を備えたようなその他の形状であっても良く、また、キャップに設けられる再封鎖用の密封部分については、実施例に示したようなキャップに一体的に形成された環状リブに限らず、キャップとは別体のライナー部材であっても良く、その構造についても、口部を外側から覆うような構造に限らず、口部の内側（開口部）に挿入されるような構造であっても良く、さらに、容器本体とキャップとを着脱自在に冠着するための手段については、実施例に示したような雄ネジ部と雌ネジ部とによる螺合手段に限らず、突起と突起による係合手段や突起と窪みによる係合手段であっても良い等、適宜に設計変更可能なものであることはいうまでもない。
【図面の簡単な説明】
【００３１】
【図１】本発明の一実施例で、未開封の容器にキャップが冠着された状態について、キャップの部分を断面で示す部分断面正面図。
【図２】図１に示した実施例について、キャップの部分を断面で示す部分断面側面図。
【図３】図１に示した実施例のキャップの部分のみを示す縦断面図。
【図４】図１に示した実施例で、容器が開封された後でキャップにより再封鎖された状態について、キャップの部分を断面で示す部分断面正面図。
【符号の説明】
【００３２】
１        破断開口容易な容器
２        容器本体
３        封鎖体
４        弱化部
５        キャップ
２５      雄ネジ部（容器本体の螺合手段）
２７      口部（容器本体の開口部）
５３      雌ネジ部（キャップの螺合手段）
５４      分割部
５５      雌ネジ部（キャップの再封鎖用の螺合手段）
【図１】
0004974233.tif 000002
【図２】
0004974233.tif 000003
【図３】
0004974233.tif 000004
【図４】
0004974233.tif 000005